(57)【要約】【課題】  水切れ性が改善され、コロナ放電及びコロナ騒音を効果的に防止した電線を提供する。【解決手段】  最外層を複数本の撚り合わせた素線により構成した電線において、前記複数本の素線の少なくとも１本の高さを他の素線より低くして、前記低い素線及びその両側の高い素線により、電線の表面に溝部を形成し、かつ前記低い素線の表面には親水化処理を施したことを特徴とする。【選択図】図１
2011150814.tif 000002
【特許請求の範囲】
【請求項１】
最外層を複数本の撚り合わせた素線により構成した電線において、前記複数本の素線の少なくとも１本の高さを他の素線より低くして、前記低い素線及びその両側の高い素線により、電線の表面に溝部を形成し、かつ前記低い素線の表面には親水化処理を施したことを特徴とする電線。
【請求項２】
前記素線が丸素線であり、前記低い素線が、他の素線より小径の丸素線であることを特徴とする請求項１に記載の電線。
【請求項３】
前記最外層の内側に、複数のセグメント素線を撚り合わせたセグメント層を備え、セグメント層の内側に防食グリスを充填したことを特徴とする請求項１又は２に記載の電線。
【発明の詳細な説明】
【技術分野】
【０００１】
本発明は、素線を撚り合わせてなる電線に係り、特に、防食性に優れるとともに、コロナ放電及びコロナ騒音を低減した防食電線に関する。
【背景技術】
【０００２】
通常、架空送電線は、アルミニウムの裸導体を撚り合せた複数本の素線により構成される。このような架空送電線は、降雨があると、素線に雨滴が付着し、この雨滴からコロナ放電が生じるという現象がある。このコロナ放電は、送電線近辺のラジオ電波障害を引き起こす。また、このコロナ放電に伴い、可聴音（コロナ騒音）が発生し、送電線下の住民からの騒音苦情を引き起こしてしまう。
【０００３】
架線直後は、表面に製造時の油分が付着しているため、雨滴は形成されやすいが、架線後、時間の経過とともに表面の油分は流れ落ち、またアルミニウムからなる素線の表面が酸化することで、電線表面の親水性化が進み、降雨による水分は粒状にならずに電線表面に広がり、コロナ放電の発生は徐々に低減するのが一般的であった。
【０００４】
しかし、架空送電線の中央部の素線間に空隙があると、降雨時に水分が入り込み、そこに蓄えられてしまう。内部の空隙に蓄えられた水分は、架空送電線表面の水滴が消失しても、それを補給する形で表面にしみ出て、水滴を形成し、コロナ放電を発生させてしまう。
【０００５】
このコロナ放電の防止を目的として、素線間に非油性充填材を満たすことが提案されているが（例えば、特許文献１参照）、通常の非油性充填材では粘度が高いため、電線の内部に充填することは困難である。
【０００６】
一方、海岸近傍の腐食環境中に架線される架空送電線には、防食対策として一般的に電線表面及び電線間に防食グリスを被覆・充填させる方法が採られており、そのように防食が施された電線では、内部に防食グリスが充填される。
【０００７】
このような防食電線では、空隙がグリスで埋められているため、水が入り込むことが出来ず、従って、水がしみ出て水滴を形成し、コロナ放電を発生する現象を防止できるのではないかとも考えられる。
【０００８】
しかし、実際には、降雨時の雨水は防食グリスに染み込み、グリスと雨水が一緒に少しづつ電線表面に流れ出てしまう。電線内部に充填されたグリスが電線表面に流れ出して電線表面に残存するため、電線表面に油分が残留する状態が長期間継続する。そのため、降雨時には電線表面に水滴が粒状に付着し、コロナ放電が発生してしまう。
【０００９】
このような雨水の防食グリスへの染み込み及びグリスの電線表面への流れ出しを防止するため、内層に嵌合型セグメント層を設け、その内側にグリスを充填した防食低コロナ電線が提案されているが（例えば、特許文献２参照）、雨水の防食グリスへの染み込み及びグリスの電線表面への流れ出しを防止する効果はあるものの、表面の水切れ性が必ずしも十分ではない。
【００１０】
また、最外層を構成する複数本の撚り合わせた丸素線の一部の径を他より大きくした素線を用い、即ち電線の表面から太い丸素線を突出させることにより風騒音を防止すると共に、この太い丸素線の突出により増加するコロナの発生を電線の径を大きくして電線表面の電位傾度を小さくすることにより防止した低コロナ低風騒音電線が提案されている（例えば、特許文献３参照）。
【００１１】
しかし、この電線は、電線表面の水滴によるコロナ発生、コロナ放電及びコロナ騒音に対し、十分考慮されていない。
【先行技術文献】
【特許文献】
【００１２】
【特許文献１】特開平１０−２５５５５４号公報
【特許文献２】特開２００７−２５０５３８号公報
【特許文献３】特許第２５８３３００号公報
【発明の概要】
【発明が解決しようとする課題】
【００１３】
本発明は、以上のような事情の下になされ、水切れ性が改善され、コロナ放電及びコロナ騒音を効果的に防止した電線を提供することを目的とする。
【課題を解決するための手段】
【００１４】
上記課題を解決するため、本発明は、最外層を複数本の撚り合わせた素線により構成した電線において、前記複数本の素線の少なくとも１本の高さを他の素線より低くして、前記低い素線及びその両側の高い素線により、表面に溝部を形成し、かつ前記低い素線の表面には親水化処理を施したことを特徴とする電線を提供する。ここで、「高さ」とは、電線の径方向に沿う素線の寸法をいう。
【００１５】
本発明において、丸素線を撚り合わせて最外層を形成する場合は、前記低い素線として、他の素線より小径のものを用いるとよい。
【００１６】
以上の防食電線において、前記最外層の内側に複数のセグメント素線を撚り合わせたセグメント層を備え、セグメント層の内側に防食グリスを充填した構成とすることが出来る。また、このセグメント層は、一方の側面に凹部を設けるとともに他方の側面に凸部を設けた複数のセグメント素線を、隣接するセグメント素線の一方のセグメント素線の側面の凹部と他方のセグメント素線の側面の凸部を嵌合させて形成することが出来る。
【発明の効果】
【００１７】
本発明によると、最外層を構成する複数本の素線の少なくとも１本の高さを他の素線より低くして、低い素線及びその両側の高い素線により表面に溝部を形成し、かつ低い素線の表面に親水化処理を施しているため、内層を通して表面に出てきた水滴が、溝部に集められ、まとまって落下することで、電線表面の水切れ性を大幅に改善することが出来、その結果コロナ騒音を効果的に抑制することが出来る。
【００１８】
また、溝部による凹凸が存在することにより、電線が風を受けることで発生するカルマン渦を乱すことが出来、電線から発生する風騒音を抑制することが出来る。
【図面の簡単な説明】
【００１９】
【図１】本発明の第１の実施形態に係る低コロナ電線を示す断面図。
【図２】セグメント素子を取り出して示す断面図。
【図３】本発明の第２の実施形態に係る電線を示す断面図。
【発明を実施するための形態】
【００２０】
以下、発明を実施するための形態について、図面を参照して説明する。
【００２１】
（実施形態１）
図１は、本発明の第１の実施形態に係る防食低コロナ電線の断面を示すものである。本実施形態に係る防食低コロナ電線は、鋼撚線からなる心線１の周りに円形断面のアルミ素線を撚り合わせたアルミ撚線層２を設け、この撚線層２の上を略断面台形のセグメント素線を撚り合わせたセグメント層３で囲繞し、その外側を円形断面の素線の撚線層４で覆ったものである。
【００２２】
撚線層４は、２本の径の小さい丸素線４ａと、多数本の径の大きい丸素線４ｂとからなる。径の小さい丸素線４ａは対向して配置されていて、その両側の径の大きい丸素線４ｂとの間に溝部５が形成されている。なお、径の小さい丸素線４ａの本数は、図１に示す例では２本であるが、２本に限らず、多数本とすることが出来る。この場合、径の小さい丸素線４ａは、電線の周方向に均一に配置されるのが望ましい。
【００２３】
また、図１に示す例では、径の大きい丸素線４ｂの間に１本の径の小さい丸素線４ａが挟まれた構造となっているが、並置された２本又はそれ以上の丸素線４ａが丸素線４ｂにより挟まれた構造であってもよい。しかし、並置された丸素線４ａの本数が多すぎる場合には溝部の幅が広すぎて、水滴を大きくするには適さないので、せいぜい数本程度とするのがよく、１本にするのが最も望ましい。
【００２４】
径の小さい丸素線４ａの直径は、２．０〜３．５ｍｍ、径の大きい丸素線４ｂの直径は、２．３〜４．５ｍｍ程度であるのが望ましい。丸素線４ａの径が小さすぎる場合には、形成される溝部の幅が狭すぎて、水滴がたまりにくくなって、水切れ性が劣り、大きすぎる場合には、溝部の深さが小さくなって、同様に水切れ性が劣る結果となる。
【００２５】
撚線層４の径の小さい丸素線４ａ，４ｂの表面には、親水化処理が施されている。親水化処理の具体的方法は特に限定されないが、ベーマイト処理、サンドブラスト処理、アルカリ水溶液による処理、又はそれらの組合せを用いることが出来る。
【００２６】
セグメント層３の内側の空隙には防食グリス６が充填されている。セグメント層３の外側には、防食グリスは充填されていない。
【００２７】
アルミ撚線層２，４を構成するアルミ素線は、アルミニウムやアルミニウム合金に限らず、銅等からなる導電体または表面が導電体である素線（たとえばアルミ被覆鋼線）に代替することもできる。
【００２８】
以上のように構成された本発明の一実施形態に係る防食低コロナ電線では、最外層を構成する撚線層４が、２本の径の小さい丸素線４ａと、多数本の径の大きい丸素線４ｂとから構成されており、丸素線４ａとその両側の丸素線４ｂにより表面に溝部５が形成されている。また、径の小さい丸素線４ａの表面に親水化処理が施されている。そのため、内層を通して表面に出てきた水滴が、溝部５に集められ、まとまって落下することで、電線の水切れ性を大幅に改善することが出来、その結果、コロナ騒音を抑制することが出来る。
【００２９】
また、電線表面に溝部５による凹凸が存在することにより、電線が風を受けることで発生するカルマン渦を乱すことが出来、電線から発生する風騒音を抑制することが出来るという効果もある。
【００３０】
図２（ａ）は、セグメント層３を構成するセグメント素線１１を示し、このセグメント素線１１は、断面台形で、角部は丸められており、側面には凸嵌合部１２と凹嵌合部１３とを備えている。凸嵌合部１２は、断面台形の電線周方向の一方の側面に素線の長手方向に連続して設けられ、凹嵌合部１３は、断面台形の電線周方向の他方の側面に素線の長手方向に連続して設けられている。凸嵌合部１２と凹嵌合部１３は、セグメント素線１１を撚り合わせたときに、隣接し合う一方の素線の一側面の凸嵌合部１２と、他方の素線の側面の凹嵌合部１３が嵌合し合うように形成されている。
【００３１】
このようなセグメント素線１１の凸嵌合部１２と凹嵌合部１３とを嵌合面１４において嵌合させ、撚り合わせたセグメント層３の一部を図２（ｂ）に示す。セグメント素線１１は、アルミ合金や銅等からなる導電体または表面が導電体である素線（たとえばアルミ被覆鋼線）である。
【００３２】
このように電線周方向の両側面に凸嵌合部１２と凹嵌合部１３を設けたセグメント素線１１をアルミ撚線層２の外側において撚り合わせ、セグメント層３を形成することにより、撚り合わせの隣接素線の凸嵌合部１２と凹嵌合部１３が互いに嵌合面１４において嵌合するので、各セグメント素線１１の電線径方向のずれが防止され、肩立ちや線浮きの防止効果が大になる。また、隣接素線の凸嵌合部１２と凹嵌合部１３が嵌合することにより、隣接素線間の嵌合面１４の接触面積が大きくなってセグメント素線１１間の間隙が狭くなり、かつ接触嵌合面１４が湾曲しているため、降雨の際に雨水が内部に入り込みにくくなり、また内部に充填されているグリスが染み出るのを防止することができる。
【００３３】
しかも、万一、雨水が内部に入り、それがセグメント層３を通して表面に出てきたとしても、セグメント層の表面に出てきた水滴は、溝部５に集中し、まとまって落下することで、電線表面の水切れ性が大幅に改善され、その結果、より大きなコロナ放電・コロナ騒音防止効果を得ることができる。
【００３４】
（実施形態２）
図３は、本発明の第２の実施形態に係る電線の断面を示すものである。本実施形態が前記実施形態１と異なる点は、セグメント層３の外周面に溝１１ａを設けた点である。溝１１ａは、各セグメント素線１１の外面に設けられている。セグメント層３のセグメント素線１１と撚線層４の丸素線４ａ，４ｂは逆向きに撚られており、セグメント層３の溝１１ａと撚線層４の親水化処理された細い丸素線４ａは電線の長さ方向に断続的に交差している。
【００３５】
この実施形態の電線では、撚線層４を通過してセグメント層３の表面に達した雨水は、セグメント層３の溝１１ａを通じて、これと交差する親水化処理された細い丸素線４ａから撚線層４の表面側の溝部５に導出される。この溝部５に集まった水は、まとまって落下するので、電線の水切れ性を大幅に改善することが出来、その結果、コロナ騒音を抑制することが出来る。
【符号の説明】
【００３６】
１・・・鋼線、２…アルミ撚線層、３，３ａ，３ｂ…セグメント層、４…撚線層、４ａ…径の小さい丸素線、４ｂ…径の大きい丸素線、５…溝部、６…グリス、１１…セグメント素線、１１ａ…セグメント素線、１２…凸嵌合部、１３…凹嵌合部。
【図１】
2011150814.tif 000003
【図２】
2011150814.tif 000004
【図３】
2011150814.tif 000005